(57)【要約】【課題】個々の記録媒体の仕様に対応して印刷するための記録制御パラメーターをユーザーが組み込める記録装置を提供する。【解決手段】記録装置１００は、記録媒体に画像を記録するプリンター３００と、記録媒体の種類毎に固有のメディアＩＤに紐付けされた、記録媒体に対応してプリンター３００を制御するための記録制御情報を登録する登録処理部と、登録された記録制御情報を記憶する記憶部４０３とを備える。【選択図】図１
2015191452.tif 000002
【特許請求の範囲】
【請求項１】
記録媒体に画像を記録する記録部と、
前記記録媒体の種類毎に固有の記録媒体識別情報に紐付けされた、前記記録媒体に対応して前記記録部を制御するための記録制御情報を登録する登録処理部と、
登録された前記記録制御情報を記憶する記憶部と、を備えることを特徴とする記録装置。
【請求項２】
表示部と、入力部と、を備え、
前記登録処理部は、前記記録制御情報を、前記入力部から入力された情報に基づいて変更可能に前記表示部に表示することを特徴とする請求項１に記載の記録装置。
【請求項３】
固有の第１の記録装置識別情報を付帯し、
前記記録制御情報は、記録可能な前記記録装置に対応した第２の記録装置識別情報を含み、
前記第１の記録装置識別情報が、前記第２の記録装置識別情報に含まれる場合に、前記記録制御情報を登録することを特徴とする請求項１または請求項２に記載の記録装置。
【請求項４】
前記記録制御情報は、所定の記録制御情報との差異を示すオフセット情報を含むことを特徴とする請求項１ないし請求項３のいずれか一項に記載の記録装置。
【請求項５】
記録装置とサーバーとがネットワークを介して通信可能に接続された記録システムであって、
前記記録装置は、
記録媒体に画像を記録する記録部と、
前記記録媒体の種類毎に固有の記録媒体識別情報に紐付けされた、前記記録媒体に対応して前記記録部を制御するための記録制御情報を登録する登録処理部と、
登録された前記記録制御情報を記憶する記憶部と、を備え、
前記サーバーは、前記記録制御情報を送信可能に記憶し、
前記記録装置は、所望の前記記録媒体の前記記録媒体識別情報を前記サーバーに送信し、前記サーバーから、前記記録媒体識別情報に紐付けされた所望の前記記録制御情報を受信することを特徴とする記録システム。
【請求項６】
記録装置が備える記録部によって記録される記録媒体であって、
前記記録媒体に対応して前記記録部を制御するための記録制御情報が紐付けられる固有の記録媒体識別情報を付帯していることを特徴とする記録媒体。
【請求項７】
記録媒体に画像を記録する記録部と、表示部と、入力部と、記憶部と、を備える記録装置を制御する制御部で動作するプログラムであって、
前記記録媒体に対応して前記記録部を制御するための、前記記録媒体の種類毎に固有の記録媒体識別情報に紐付けされた記録制御情報を登録する登録ステップと、
登録された前記記録制御情報を前記記憶部に記憶する記憶ステップと、を含むことを特徴とするプログラム。
【請求項８】
前記記録制御情報を、前記記録部の仕様に基づく情報と共に、前記入力部から入力された情報に基づいて変更可能に前記表示部に表示する表示ステップを含むことを特徴とする請求項７に記載のプログラム。
【請求項９】
前記記録装置は、前記記録装置に固有の第１の記録装置識別情報を付帯し、
前記記録制御情報は、記録可能な前記記録装置に対応した第２の記録装置識別情報を含み、
前記登録ステップは、
前記第１の記録装置識別情報が、前記第２の記録装置識別情報に含まれる場合に、前記記録制御情報を登録することを特徴とする請求項７または請求項８に記載のプログラム。
【請求項１０】
前記記録制御情報は、所定の記録制御情報との差異を示すオフセット情報を含むことを特徴とする請求項７ないし請求項９のいずれか一項に記載のプログラム。
【請求項１１】
請求項７ないし請求項１０のいずれか一項に記載のプログラムを記憶し、コンピューターが読取可能なことを特徴とするプログラム記憶媒体。
【発明の詳細な説明】
【技術分野】
【０００１】
本発明は、記録装置、記録システム、記録媒体、プログラム、およびプログラム記憶媒体に関する。
【背景技術】
【０００２】
記録装置としてのインクジェットプリンターは、その技術革新が進み、様々な記録（印刷）媒体に対して様々な形態の記録（印刷）が可能になった。その結果、オフィスや一般家庭のみならず、ポスター、看板、販促物、包装紙などの作成に対応する商業用途向けの中型プリンターや、製品の生産ラインに組み込む工業用途向けの大型プリンターなどにも盛んに用いられるようになった。
このような中で、特殊な記録媒体に特化した専用のインクジェットプリンターが求められる一方、記録制御（インク滴の吐出パラメーターの制御や、記録媒体に対する前処理、後処理パラメーターの制御など）を行うことで様々な記録媒体（様々な素材や様々な表面状態の記録媒体）に対応させて記録することが可能なインクジェットプリンターに対するニーズも高い。
【０００３】
このニーズに対応し、従来は、予め様々な記録媒体に対する記録評価を行い、一定の記録品質が維持できる記録制御パラメーターを求めた上で、それをインクジェットプリンターに組み込むファームウェアや、インクジェットプリンターを制御するドライバーソフトウェアに組み込んでユーザーに提供する方法を取っていた。
これに対し、特許文献１には、個々の記録媒体に対応した記録制御パラメーター（印刷制御情報）が印刷された紙（例えば、記録媒体に添付される２次元バーコード）をスキャンして、プリンター装置の印刷制御に反映できる手段を有する印刷装置が提案されている。これにより、プリンター装置が備えるＲＯＭの交換などを行う必要が無く、容易に記録媒体に最適な色補正の作業を行うことができるとしている。
【先行技術文献】
【特許文献】
【０００４】
【特許文献１】特開２００５−６０５５号公報
【発明の概要】
【発明が解決しようとする課題】
【０００５】
しかしながら、特許文献１に記載の印刷装置では、ますます多様化する記録媒体やインクジェットプリンターに対応した記録制御パラメーターなどの情報を２次元バーコードなどの印刷情報に盛り込みきれない、つまり情報量が不足するという問題があった。また、紙に印刷された情報を取り込んで活用する仕組みであるため、印刷後にアップデートされた情報が活用できない、つまり最新の記録制御パラメーターに基づいた記録を行うことができない場合があるという問題があった。
【課題を解決するための手段】
【０００６】
本発明は、上述の課題の少なくとも一部を解決するためになされたものであり、以下の適用例または形態として実現することが可能である。
【０００７】
［適用例１］  本適用例に係る記録装置は、記録媒体に画像を記録する記録部と、前記記録媒体の種類毎に固有の記録媒体識別情報に紐付けされた、前記記録媒体に対応して前記記録部を制御するための記録制御情報を登録する登録処理部と、登録された前記記録制御情報を記憶する記憶部と、を備えることを特徴とする。
【０００８】
本適用例によれば、記録装置は、記録媒体に画像を記録する記録部と、記録媒体に対応して記録部を制御するための記録制御情報（例えば、インクジェットプリンターにおけるインク滴の吐出制御情報や、記録媒体に対する前処理、後処理制御情報など）を登録する登録処理部と、登録された記録制御情報を記憶する記憶部とを備えている。また、記録制御情報は、記録媒体の種類毎に固有の記録媒体識別情報に紐付けされており、登録処理部は、記録制御情報を登録する。
つまり、個々の記録媒体（記録媒体の種類毎）に対応した記録制御情報を記録装置に個別に登録することができる。
【０００９】
［適用例２］  上記適用例に係る記録装置において、表示部と、入力部と、を備え、前記登録処理部は、前記記録制御情報を、前記入力部から入力された情報に基づいて変更可能に前記表示部に表示することを特徴とする。
【００１０】
本適用例によれば、記録装置は、更に表示部と入力部とを備え、登録処理部は、記録制御情報を、入力部から入力された情報に基づいて変更可能に表示部に表示する。従って、ユーザーは、記録制御情報を参照しながら、ユーザーの好みに基づき記録制御情報をカスタマイズして登録することができる。
【００１１】
［適用例３］  上記適用例に係る記録装置において、固有の第１の記録装置識別情報を付帯し、前記記録制御情報は、記録可能な前記記録装置に対応した第２の記録装置識別情報を含み、前記第１の記録装置識別情報が、前記第２の記録装置識別情報に含まれる場合に、前記記録制御情報を登録することを特徴とする。
【００１２】
本適用例によれば、記録装置は、固有の第１の記録装置識別情報を付帯しており、記録制御情報は、記録可能な記録装置に対応した第２の記録装置識別情報を含んでいる。また、記録装置は、第２の記録装置識別情報に、第１の記録装置識別情報が含まれる場合に、記録制御情報を登録する。つまり、記録装置が記録できない記録媒体に対する記録制御情報は登録されない。記録可能な記録媒体に対する記録制御情報のみが登録されるため、記憶部がより有効に活用される。また、記録制御情報は、記録媒体の種類毎に固有の記録媒体識別情報に紐付けされているため、ユーザーは、記録装置が記録可能な記録媒体の種類を知ることができる。
【００１３】
［適用例４］  上記適用例に係る記録装置において、前記記録制御情報は、所定の記録制御情報との差異を示すオフセット情報を含むことを特徴とする。
【００１４】
本適用例によれば、記録制御情報は、所定の記録制御情報との差異を示すオフセット情報を含んでいる。そのため、予め、記録装置が所定の記録制御情報を備える場合、個々の記録媒体に対応した記録制御情報にオフセット情報を含むことで記録媒体に対応した記録制御を行うことができる。つまり、個々の記録媒体に対応した記録制御情報として、記録装置の制御に関わる情報をすべて持つ必要がなく、差異情報としてのオフセット情報を持てば良いので情報量を少なくすることができる。
【００１５】
［適用例５］  本適用例に係る記録システムは、記録装置とサーバーとがネットワークを介して通信可能に接続された記録システムであって、前記記録装置は、記録媒体に画像を記録する記録部と、前記記録媒体の種類毎に固有の記録媒体識別情報に紐付けされた、前記記録媒体に対応して前記記録部を制御するための記録制御情報を登録する登録処理部と、登録された前記記録制御情報を記憶する記憶部と、を備え、前記サーバーは、前記記録制御情報を送信可能に記憶し、前記記録装置は、所望の前記記録媒体の前記記録媒体識別情報を前記サーバーに送信し、前記サーバーから、前記記録媒体識別情報に紐付けされた所望の前記記録制御情報を受信することを特徴とする。
【００１６】
本適用例の記録システムは、記録装置とサーバーとがネットワークを介して通信可能に接続されたシステムである。記録装置は、記録媒体に画像を記録する記録部と、記録媒体に対応して記録部を制御するための記録制御情報を登録する登録処理部と、登録された記録制御情報を記憶する記憶部とを備えている。また、サーバーは、記録制御情報を送信可能に記憶している。記録制御情報は、記録媒体の種類毎に固有の記録媒体識別情報に紐付けされており、記録装置は、所望の記録媒体の記録媒体識別情報をサーバーに送信し、サーバーから、記録媒体識別情報に紐付けされた所望の記録制御情報を受信する。登録処理部は、記録制御情報を登録する。
【００１７】
つまり、個々の記録媒体（記録媒体の種類毎）に対応した記録制御情報をサーバーから入手し、記録装置に個別に登録することができる。従って、想定される様々な記録媒体に対応した記録制御情報を、予め、インクジェットプリンターのファームウェアや、インクジェットプリンターを制御するドライバーソフトウェアに組み込んでおく必要がない。例えば、記録装置がユーザーに提供された後に新たに追加された記録媒体であっても、その記録媒体に対応した記録制御情報を、ユーザーが必要に応じて入手し登録することができる。その結果、従来のように、記録媒体の種類が増える都度、ファームウェアやドライバーソフトウェアを改訂（アップグレード）する必要がなくなる。また、ユーザーは、必要な記録媒体に対する記録制御情報のみを必要なときに入手し登録すれば良い。
【００１８】
［適用例６］  本適用例に係る記録媒体は、記録装置が備える記録部によって記録される記録媒体であって、前記記録媒体に対応して前記記録部を制御するための記録制御情報が紐付けられる固有の記録媒体識別情報を付帯していることを特徴とする。
【００１９】
本適用例によれば、記録媒体は、記録媒体に対応して記録部を制御するための記録制御情報が紐付けられる固有の記録媒体識別情報を付帯している。従って、記録媒体識別情報によって個々の記録媒体に対応した記録制御情報を特定することができる。つまり、例えば、記録装置とネットワークを介して通信可能に接続されたサーバーに様々な記録媒体に対応した記録制御情報が蓄えられている場合に、記録媒体識別情報をキーにして紐付けられた記録制御情報を特定して入手することができるため、記録媒体は、比較的情報量が大きな記録制御情報を付帯する必要がない。また、予め、記録媒体に記録制御情報が付帯される場合には、付帯されたままの記録制御情報がアップデートされることがないのに対して、サーバーに蓄えられる記録制御情報が紐付けされるため、サーバーに蓄えられた記録制御情報が最新の情報に維持されることで、ユーザーは、常に最新の記録制御情報を活用することができる。
【００２０】
［適用例７］  本適用例に係るプログラムは、記録媒体に画像を記録する記録部と、表示部と、入力部と、記憶部と、を備える記録装置を制御する制御部で動作するプログラムであって、前記記録媒体に対応して前記記録部を制御するための、前記記録媒体の種類毎に固有の記録媒体識別情報に紐付けされた記録制御情報を登録する登録ステップと、登録された前記記録制御情報を前記記憶部に記憶する記憶ステップと、を含むことを特徴とする。
【００２１】
本適用例によれば、プログラムは、記録媒体に画像を記録する記録部と、表示部と、入力部と、記憶部と、を備える記録装置を制御する制御部で動作するプログラムである。プログラムは、記録媒体に対応して記録部を制御するための記録制御情報を登録する登録ステップと、登録された記録制御情報を記憶部に記憶する記憶ステップとを含んでいる。また、記録制御情報は、記録媒体の種類毎に固有の記録媒体識別情報に紐付けされており、登録ステップは、記録制御情報を登録する。
つまり、制御部がこのプログラムによって動作することで、個々の記録媒体（記録媒体の種類毎）に対応した記録制御情報を、記録装置に個別に登録することができる。従って、想定される様々な記録媒体に対応した記録制御情報を、予め、インクジェットプリンターのファームウェアや、インクジェットプリンターを制御するドライバーソフトウェアに組み込んでおく必要がない。
【００２２】
［適用例８］  上記適用例に係るプログラムにおいて、前記記録制御情報を、前記記録部の仕様に基づく情報と共に、前記入力部から入力された情報に基づいて変更可能に前記表示部に表示する表示ステップを含むことを特徴とする。
【００２３】
本適用例によれば、制御部で動作するプログラムは、更に、記録制御情報を、記録部の仕様に基づく情報と共に、入力部から入力された情報に基づいて変更可能に表示部に表示する表示ステップを含む。従って、ユーザーは、記録制御情報を参照しながら、ユーザーの好みに基づき記録制御情報をカスタマイズして登録することができる。
【００２４】
［適用例９］  上記適用例に係るプログラムにおいて、前記記録装置は、前記記録装置に固有の第１の記録装置識別情報を付帯し、前記記録制御情報は、記録可能な前記記録装置に対応した第２の記録装置識別情報を含み、前記登録ステップは、前記第１の記録装置識別情報が、前記第２の記録装置識別情報に含まれる場合に、前記記録制御情報を登録することを特徴とする。
【００２５】
本適用例によれば、記録装置は、記録装置に固有の第１の記録装置識別情報を付帯しており、記録制御情報は、記録可能な記録装置に対応した第２の記録装置識別情報を含んでいる。また、制御部で動作するプログラムが含む登録ステップでは、第１の記録装置識別情報が、第２の記録装置識別情報に含まれる場合に、記録制御情報を登録する。つまり、記録装置が記録できない記録媒体に対する記録制御情報は登録されない。記録可能な記録媒体に対する記録制御情報のみが登録されるため（換言すると、記憶部に無効な情報が登録されることがないため）、記憶部がより有効に活用される。また、記録制御情報は、記録媒体の種類毎に固有の記録媒体識別情報に紐付けされているため、ユーザーは、記録装置が記録可能な記録媒体の種類を知ることができる。
【００２６】
［適用例１０］  上記適用例に係るプログラムにおいて、前記記録制御情報は、所定の記録制御情報との差異を示すオフセット情報を含むことを特徴とする。
【００２７】
本適用例によれば、記録制御情報は、所定の記録制御情報との差異を示すオフセット情報を含んでいる。そのため、予め、記録装置が所定の記録制御情報を備える場合、個々の記録媒体に対応した記録制御情報にオフセット情報を含むことで記録媒体に対応した記録制御を行うことができる。つまり、個々の記録媒体に対応した記録制御情報として、記録装置の制御に関わる情報をすべて持つ必要がなく、差異情報としてのオフセット情報を持てば良いので情報量を少なくすることができる。
【００２８】
［適用例１１］  本適用例に係るプログラム記憶媒体は、上述したプログラムを記憶し、コンピューターが読取可能なことを特徴とする。
【００２９】
本適用例のように、プログラム記憶媒体は、上述したプログラムを記憶し、コンピューターが読取可能であることが好ましい。例えば、制御部として入力部や表示部、記憶部などを備えるコンピューターを活用し、プログラムを読み取ることで、簡便に制御部を動作させることができる。
【図面の簡単な説明】
【００３０】
【図１】実施形態１に係る記録システムの一例の構成を示すブロック図
【図２】プリンター（記録部）の一例の構成を示す模式図
【図３】（ａ）従来のプリンタードライバーを説明する概念図、（ｂ）実施形態１に係る記録制御情報を説明する概念図
【図４】第１の記録装置識別情報と第２の記録装置識別情報との関係の例を示す概念図
【図５】吐出制御情報を説明する概念図
【図６】駆動制御情報を説明する概念図
【図７】登録処理のフロー図
【図８】登録リストの例を示す概念図
【図９】登録処理部の機能を示す概念図
【図１０】（ａ）〜（ｃ）サーバーの登録リストに登録されている記録制御情報を選択しダウンロードする方法を説明する概念図
【発明を実施するための形態】
【００３１】
以下に本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。
【００３２】
（実施形態１）
＜記録システム＞
図１は、実施形態１に係る記録システム１０００の構成を示すブロック図である。
記録システム１０００は、記録装置１００とサーバー２００とがネットワーク２０１を介して通信可能に接続されたシステムである。
記録装置１００は、記録媒体に画像を記録する「記録部」としてのインクジェット式のプリンター３００、および「制御部」としてのパーソナルコンピューター４００（以下ＰＣ４００と言う）などから構成されている。
【００３３】
＜サーバー＞
サーバー２００は、ネットワーク２０１を介して記録装置１００に必要な情報を提供する所謂クラウドコンピューティングにおけるネットワークサーバーであり、所定の品質の記録（印刷）を可能とするための「記録制御情報」などを、複数の記録媒体や複数の記録装置１００（プリンター３００）に対応させて備えている。記録制御情報とは、具体的には、例えば、インク滴の吐出制御情報や、記録媒体に対して行う前後処理の制御情報など、記録部（プリンター３００）を制御するための情報であり、個々の記録媒体および個々の記録媒体に対応できる記録装置毎に分類して備えられている。記録制御情報については、後述する。
【００３４】
＜記録部（プリンター）＞
図２は、プリンター３００の一例としてのプリンター３０１の構成を示す模式図である。
プリンター３０１は、例えば、紫外線の照射により硬化可能な紫外線硬化化合物を含有するＵＶインクを用い、「記録媒体」としてのロール状に巻かれた状態で供給されるロール紙１に画像を記録するインクジェット式プリンターである。プリンター３０１は、本体３１０、ロール紙１に対し記録の前処理としてコロナ処理を行うコロナ処理部３２０、記録の後処理としてのＵＶ乾燥を行うＵＶ照射部３３０、搬送経路を構成する搬送ローラー３４０などを備えている。つまり、プリンター３０１は、ＵＶインクを用いてロール紙１に記録する基本機能（本体３１０）に、ＵＶインクの濡れ性を改善するコロナ処理部３２０とＵＶ乾燥を行うＵＶ照射部３３０を付加した構成のインクジェット式プリンターである。
【００３５】
本体３１０は、インク吐出部３１１、供給部３１２、巻取り部３１３などを備えている。
ロール紙１は、供給部３１２から供給され、プリンター３０１の内部に設けられた搬送経路によって、コロナ処理部３２０、インク吐出部３１１を経由し、巻取り部３１３に収納される。搬送ローラー３４０は、ロール紙１の搬送経路を形成するために複数の位置に設けられたローラーであり、駆動ローラーや駆動ローラーに従動してロール紙１をガイドする従動ローラーなどから構成されている。
【００３６】
インク吐出部３１１は、ロール紙１の表面にＵＶインクを吐出して画像を記録するインクジェットヘッドや、吐出したＵＶインクが垂れたり流れたりしない程度に仮乾燥（仮硬化）させるための紫外線照射機（ＵＶ照射機）などを備えている（図示省略）。
【００３７】
供給部３１２は、記録が行われる前のロール紙１を収容する収容部であり、ロール紙１の搬送経路においてコロナ処理部３２０の上流側に位置する。
巻取り部３１３は、記録が行われた後のロール紙１を巻き取り収納する収納部であり、ロール紙１の搬送経路においてインク吐出部３１１の下流側に位置する。
【００３８】
コロナ処理部３２０は、ロール紙１の搬送経路においてインク吐出部３１１の上流側に配置され、ＵＶインクが吐出される前のロール紙１の表面をコロナ放電処理するコロナ放電電極３２１を備えている。
ＵＶ照射部３３０は、ロール紙１の搬送経路においてインク吐出部３１１の下流側に配置され、吐出されたＵＶインクの本乾燥を行うＵＶ照射機３３１を備えている。
【００３９】
記録装置１００が備えるプリンター３００として、上述したように、ＵＶインクを用いてロール紙１に記録する基本機能に、ＵＶインクの濡れ性を改善するコロナ処理部３２０とＵＶ乾燥を行うＵＶ照射部３３０を付加した構成のプリンター３０１を例に説明したが、プリンター３００は、このようなプリンターに限定するものではなく、様々なタイプのプリンターを適用することができる。
【００４０】
例えば、吐出するインクはＵＶインクに限定するものではなく、熱硬化性のインクや自然乾燥型のインクであっても良い。この場合には、ＵＶ照射部３３０は、例えばヒーターを備えた熱乾燥部などが備えられる構成であっても良い。
また、例えば、記録媒体としては、ロール紙１に限定するものではなく、枚葉式の用紙などであっても良い。枚葉式の用紙の場合には、供給部３１２に換わり、例えば、記録媒体をインク吐出部３１１へ１枚ずつ供給するためのセパレーターを含む供給機構が備えられる構成となり、また巻取り部３１３に換わり、例えば、記録後にインク吐出部３１１から排出される記録媒体を収納する収納トレーなどが備えられる構成となる。
【００４１】
また、記録媒体の材質としても、例えば、上質紙、キャスト紙、アート紙、コート紙などを使用することができる。また、これらの紙系媒体に限定するものではなく、例えば、合成紙、ＰＥＴ（Polyethylene terephthalate）、ＰＰ（polypropylene）などから成るフィルム系媒体や、布帛、木板などを使用することができる。
【００４２】
このように、記録部（プリンター３００）としては、これらの様々な記録媒体やインクに対応したプリンターを適用することができる。しかしながら、様々な仕様が適用されるプリンター３００に対しては、それぞれに対応した、また、適した記録制御を行う必要がある。
これに対して、従来、様々なタイプのプリンター３００毎に、そのハードウェアやファームウェアを制御するドライバーソフトウェア（以下プリンタードライバーと言う）を準備し、プリンター３００が接続されるＰＣ４００にインストールして使用する方法が取られてきた。
【００４３】
図３（ａ）は、従来のプリンタードライバーを説明する概念図である。
図３（ａ）に示すように、例えば、様々な記録媒体に対応した記録制御を可能とするために、予め様々な記録媒体に対する記録評価を行い、一定の記録品質が維持できる記録制御のためのパラメーターを求めた上で、それをプリンタードライバーに組み込んでユーザーに提供する方法を取っていた。つまり、対応可能な記録媒体に対するすべてのパラメーターを組み込んだ上でプリンタードライバーを提供する仕組みであった。また、新しい記録媒体に適用させるためには、その評価結果に基づいてプリンタードライバーをアップデートし、ユーザーは、アップデートされたプリンタードライバーをＰＣ４００にインストールする方法を取っていた。
【００４４】
図３（ｂ）は、本実施形態の記録制御情報を説明する概念図である。
上述した従来の方法に対し、本実施形態では、個々の記録媒体に対応する記録制御のためのパラメーターを「記録制御情報」としてサーバー２００に準備し、ユーザーが必要に応じて必要な（該当する）記録媒体の「記録制御情報」を取得してＰＣ４００に組み込む方法としている。
図３（ｂ）では、例えば、記録媒体Ａ〜Ｃに対してそれぞれ対応する記録制御情報Ａ〜Ｃが準備されており、ユーザーが記録媒体Ａに記録するに当たって、サーバー２００から対応する記録制御情報Ａを入手し、組み込んでいる様子を示している。記録媒体Ａ〜Ｃと記録制御情報Ａ〜Ｃとの対応付け（つまり、記録媒体に対応するどの記録制御情報を入手すれば良いのかの選択）は、記録媒体Ａ〜Ｃのそれぞれが付帯する「記録媒体識別情報」（後述）によって行う。
【００４５】
ＰＣ４００は、記録制御情報を組み込み可能なプリンタードライバーを有し、ユーザーは必要に応じて入手した記録制御情報をプリンタードライバーに組み込むことで該当する記録媒体への記録を可能としている。また、ユーザーは必要に応じ、記録制御情報の内容を変更することも可能である。また、個々に入手した記録制御情報や変更した記録制御情報を登録することができる。
以下に具体的に説明する。
【００４６】
＜記録制御情報＞
記録制御情報は、記録部（プリンター３００）を制御するための情報であり、吐出制御情報、駆動制御情報および「第２の記録装置識別情報」としての対応可能プリンターリストが含まれる。
【００４７】
＜吐出制御情報＞
図５は、吐出制御情報を説明する概念図である。
記録制御情報に含まれる吐出制御情報とは、プリンター３００が記録媒体に対してインク滴を吐出する際の制御情報であり、例えば、プリンター３０１においては、インク吐出部３１１がロール紙１に対してＵＶインクを吐出する際の吐出制御情報である。
図５に示すように、吐出制御情報は、標準の記録媒体に対応した吐出制御情報（標準吐出制御情報）に対するオフセット情報で構成される。標準吐出制御情報は、予め、記録装置１００に備えられている。あるいは、プリンター３００のプリンターＩＤ（後述）をキーとして、サーバー２００から入手することができる。
【００４８】
標準の記録媒体とは、記録の用途毎に予め設定する記録媒体であり、記録の用途やその用途に適用した標準インクに適した記録媒体である。
標準吐出制御情報とは、標準の記録媒体に対して記録の評価を行い、最適な条件として予め設定する吐出制御のパラメーターである。吐出制御のパラメーターとは、具体的には、上述した色変換処理、ハーフトーン処理、インターレース処理を行うための変換パラメーターである。
つまり、記録制御情報に含まれる吐出制御情報は、予め最適な条件として設定された色変換処理、ハーフトーン処理、インターレース処理を行うための標準の変換パラメーターのそれぞれに対する差異を示すオフセット値で構成される。
例えば、色変換処理の場合、記録される画像情報のＲＧＢデータを、標準吐出制御情報に対して用意されている標準のルックアップテーブルに基づき、シアン（Ｃ）、マゼンタ（Ｍ）、イエロー（Ｙ）、ブラック（Ｋ）それぞれの標準インク量データに変換される。変換されたＣＭＹＫの標準インク量データは、標準の変換パラメーターとの差異を示すオフセット値を用いて、適正なＣＭＹＫのインク量データに補正される。なお、標準の変換パラメーターとの差異を示すオフセット値により、予め標準のルックアップテーブルを適正なルックアップテーブルに補正し、適正なルックアップテーブルに基づいて、画像情報のＲＧＢデータを適正なＣＭＹＫのインク量データに変換してもよい。
【００４９】
＜駆動制御情報＞
図６は、駆動制御情報を説明する概念図である。
記録制御情報に含まれる駆動制御情報とは、記録媒体に対して作用する駆動部の制御情報であり、例えば、プリンター３０１においては、ロール紙１に対するコロナ処理の制御情報（コロナ処理部３２０の駆動制御情報）、ＵＶ乾燥を行うＵＶ照射部３３０の駆動制御情報などがこれに当たる。
駆動制御情報は、記録媒体の形態や、記録方式、プリンター３００のハードウェア構成などによって様々な情報が含まれる。駆動制御情報としては、例えば、記録媒体の厚みに対するプラテンギャップ制御（プリンター３０１の場合、インク吐出部３１１におけるノズル面とロール紙１の表面との距離の制御）の情報や、記録媒体に対して前処理を行う必要が想定される場合には、前処理部の駆動パラメーター（プリンター３０１ではコロナ処理の有無やその強度）、記録媒体に対して後処理を行う必要が想定される場合には、後処理部の駆動パラメーター（プリンター３０１ではＵＶ照射機３３１の照射有無やその強度）などの情報がある。その他、駆動制御情報の例としては、例えば、加熱処理する場合の加熱温度情報、記録媒体の搬送経路におけるテンション（張力）情報、透過性記録媒体に対するインク吐出順番（表刷・裏刷）情報なども挙げられる。このように、駆動制御情報は、新たに追加される記録媒体の形態や、記録方式、プリンター３００の構成によって、新たな情報として追加することができる。
【００５０】
＜第２の記録装置識別情報（対応可能プリンターリスト）＞
記録制御情報に含まれる「第２の記録装置識別情報」としての対応可能プリンターリストは、当該記録媒体に対して記録することができるプリンター３００の一覧情報（プリンターＩＤのリスト）である。つまり、対応可能プリンターリストは、記録媒体に対して、対応する記録制御情報を用いることで、一定の記録品質を維持して記録することのできるプリンターの機種リストである。例えば、記録媒体の種類（ロール状、単票などの形態や布帛、フィルムなどの材質）によって、記録制御だけでは対応できないプリンター３００は、このリストに含まれない。
【００５１】
＜記録媒体識別情報（メディアＩＤ）＞
個々の記録媒体と、それぞれに対応する記録制御情報との紐付けは、記録媒体が個別に付帯する記録媒体識別情報によって行うことができる。記録媒体識別情報には、記録媒体の種類毎にユニークに与えられた記号や番号などのコード（以下メディアＩＤという）が含まれる。また、記録媒体識別情報には、メディアＩＤの他に、例えば、ユーザーフレンドリーな名称や、製造時期、製造地域、製造ロットナンバーなどの情報が含まれても良い。製造時期、製造地域、製造ロットナンバーなどの情報は、記録媒体の種類によっては、その製造ばらつきにより記録条件を変えることが好ましい場合などに有効な識別情報として活用することができる。付帯させる方法としては、例えば、記録媒体を梱包する梱包資材や、同梱する書類、または、それらに貼付するラベルなどに記録媒体識別情報を表意する文字や記号、バーコードなどを印刷することによって行う。
上述したように、記録制御情報に含まれる吐出制御情報、駆動制御情報、対応可能プリンターリストは、それぞれ、個々の記録媒体に対応した固有の情報であり、ユーザーは、メディアＩＤをキーとして、所望の記録制御情報をサーバー２００から入手することができる。
【００５２】
＜第１の記録装置識別情報（プリンターＩＤ）＞
また、記録媒体のみならず、記録するためのインクやこれらに対応するプリンター３００によっても、記録制御の内容や方法、仕様が異なってくる。そのため、記録装置１００は、記録装置１００に固有の「第１の記録装置識別情報」を付帯している。第１の記録装置識別情報は、記録装置１００が備えるプリンター３００の種類毎にユニークに与えられた記号や番号などのコード（以下プリンターＩＤという）である。第１の記録装置識別情報には、プリンターＩＤの他に、例えば、ユーザーフレンドリーなプリンター名称や、プリンターの製造時期、製造ロットナンバーなどの情報が含まれても良い。
記録装置１００（記録装置１００が備えるプリンター３００）が付帯するプリンターＩＤを、前述した記録制御情報に含まれる対応可能プリンターリストに照らし合わせることで、記録制御情報と紐つけられる記録媒体に対して記録が可能か否かの判断をすることができる。
【００５３】
図４は、第１の記録装置識別情報と第２の記録装置識別情報（対応可能プリンターリスト）との関係の例を示す概念図である。
記録媒体Ａに対応する記録制御情報Ａの対応可能プリンターリストには、プリンターＩＤのリストとしてＰＲ‐３０１、ＰＲ‐３０２、ＰＲ‐３０３、ＰＲ‐４０１、ＰＲ‐４０８が含まれている。これに対し、プリンターＩＤとしてＰＲ‐３０１を有するプリンター３００は、記録媒体Ａに対して記録制御情報Ａを持って記録することが可能であるが、例えば、プリンターＩＤとしてＰＲ‐５０１を有するプリンター３００は、記録媒体Ａに対して記録媒体Ａに対応する記録制御情報Ａであっても記録することができない。
【００５４】
＜制御部（ＰＣ４００）＞
図１に戻り、ＰＣ４００について説明する。
ＰＣ４００は、表示部４０１、入力部４０２、記憶部４０３などを備え、プリンター３００および記録装置１００全体を制御する。
表示部４０１は、ヒューマンインターフェースとしての情報表示手段（ディスプレー）であり、ＰＣ４００の制御の基に、入力部４０２から入力される情報や、プリンター３００に記録する画像情報、記録制御情報に基づくプリンター３００の制御情報などが表示される。
入力部４０２は、ヒューマンインターフェースとして情報入力手段である。具体的には、例えば、キーボードや情報入力機器が接続されるポートなどである。
記憶部４０３は、ハードディスクドライブ（ＨＤＤ）やメモリーカードなどの書き換え可能な記憶媒体であり、ＰＣ４００が動作するソフトウェア（プログラム）や記録制御情報、画像情報などが記憶される。
【００５５】
＜制御部（ＰＣ４００）の機能＞
ＰＣ４００は、入力部４０２あるいはネットワーク２０１を介して外部から入力される所望の記録画像をプリンター３００によって記録媒体に記録させる機能を有する。具体的には、画像処理機能、記録制御機能、記録制御情報の登録処理機能などを有している。
【００５６】
＜画像処理機能＞
画像処理機能としては、外部から入力された記録画像の情報（例えば、一般的なＲＧＢのデジタル画像情報）を処理する一般的なアプリケーションソフトウェアによる画像処理機能や、記録画像の情報を、プリンター３００を駆動制御するために変換する機能（色変換処理、ハーフトーン処理、インターレース処理などの機能）を有している。
色変換処理は、ＲＧＢ系のカラーデータをＣＭＹＫ系のカラーデータに変換する処理である。ＣＭＹＫ系とは、シアン（Ｃ）、マゼンタ（Ｍ）、イエロー（Ｙ）、ブラック（Ｋ）で構成されるカラーモードである。ハーフトーン処理およびインターレース処理は、ＣＭＹＫ系の画像情報を、実際にインク吐出部３１１が備える個々のノズルからインクを吐出させるドット情報に置き換える処理（２値化処理、配列処理など）である。
【００５７】
＜記録制御機能＞
記録制御機能は、記録制御情報に基づいてプリンター３００を駆動制御する機能であり、インク吐出制御や、記録媒体の移動・搬送制御、前処理や後処理の制御、またプリンター３００が発信する情報の処理などを行う。
なお、この記録制御（プリンター３００の駆動制御）は、ＰＣ４００の記録制御の基にプリンター３００が備えるファームウェアによってプリンター３００が駆動される構成、あるいは、ＰＣ４００とプリンター３００が備えるファームウェアの両方によって駆動される構成であっても良い。
【００５８】
＜登録処理機能＞
登録処理機能は、メディアＩＤ（記録媒体識別情報）に紐付けされた記録制御情報を登録する「登録処理部」としての機能である。また、登録された記録制御情報は、記憶部４０３に記憶される。
【００５９】
＜記録制御プログラム＞
ＰＣ４００が記録制御情報に基づいて行う画像処理機能、記録制御機能や、ユーザーとの間で登録処理部として登録処理を行う機能は、記憶部４０３に備えられたＰＣ４００のプログラムによって実行される。このプログラム（以下、記録制御プログラムと言う）は、プリンタードライバーの機能の一部として、コンピューター（ＰＣ４００など）が読取可能なプログラム記憶媒体やネットワーク２０１を介してユーザーに供給される。「プログラム記憶媒体」としては、例えば、光ディスク（コンパクトディスク（ＣＤ）、デジタルバーサタイルディスク（ＤＶＤ）、ブルーレイディスク（ＢＤ）、レーザーディスク（登録商標）（ＬＤ））、光磁気ディスク（ＭＯ）、磁気ディスク（ハードディスクドライブ（ＨＤＤ）、フレキシブルディスク（ＦＤ））、磁気テープ（デジタルデータストレージ（ＤＤＳ））、メモリー（フラッシュメモリー、メモリーカード、ＵＳＢメモリー）などがある。
【００６０】
記録制御プログラムは、表示ステップ、登録ステップ、記憶ステップを含んでいる。
「表示ステップ」は、個々に入手した記録制御情報を、プリンター３００の仕様に基づく情報と共に、入力部４０２から入力された情報に基づいて変更可能に表示部４０１に表示するステップである。
「登録ステップ」は、個々に入手した記録制御情報や変更した記録制御情報を登録するステップである。
「記憶ステップ」は、登録された記録制御情報を記憶部４０３に記憶するステップである。
【００６１】
＜登録処理＞
図７は登録処理のフロー図、図９は登録処理部の機能を示す概念図である。図７のフローに従って図９を参照し一連の処理について説明する。
ユーザーは、まず、記録装置１００で記録を行う記録媒体のメディアＩＤを確認する（ステップＳ１）。次に、記録制御プログラムを起動し、記録媒体に適した記録制御を行うために、記録媒体に対応した記録制御情報が記録装置１００に登録されているか（記憶部４０３に記憶されているか）を登録リストにより確認する（ステップＳ２）。登録リストは、図８に例示するように、登録されている記録制御情報を紐付けるメディアＩＤや記録媒体の名称の一覧であり、登録された記録制御情報を記憶部４０３に記憶する都度更新される。
【００６２】
既に登録されている場合には、登録リストより該当する記録制御情報を選択する（ステップＳ３）。記録制御プログラムは、標準記録制御情報と共に、選択された記録制御情報を記憶部４０３から読み込み、標準記録制御情報と記録制御情報に基づき（オフセット情報を演算して）プリンター３００を駆動制御するパラメーターを表示部４０１に表示する（ステップＳ４）。このとき、図９に示すように、それぞれのパラメーターは、変更可能なパラメーターと変更不可能なパラメーターと非該当のパラメーターとに表示方法を分けて表示される（表示ステップ）。変更可能なパラメーターは、ユーザーが入力部４０２から所望の値に変更し、制御をカスタマイズすることができる（ステップＳ１１）。
【００６３】
変更可能なパラメーターは、ユーザーの好みに従い変更できるパラメーターであるが、変更範囲は予め適正な範囲に限定しておくことが好ましい。つまり、記録制御情報には、変更可能なパラメーターに関し、変更可能範囲の情報を併せ持つことが好ましい。吐出パラメーターの変更可能なパラメーターの代表例としては、例えば、ＲＧＢのカラーバランスなどがある。
非該当のパラメーターとは、制御対象が無い場合などのパラメーターであり、例えば、コロナ処理部３２０を備えていないＵＶインクプリンターを用いる場合には、コロナ処理の制御パラメーター（コロナ処理強度など）がこれに当たる。
このように、変更の可否や該当／非該当は、プリンター３００の仕様と記録媒体の仕様とによって適宜対応する表示を行う。
【００６４】
次に、必要に応じカスタマイズされた記録制御情報に従い、記録を行う（ステップＳ１２）。記録した結果によって必要に応じ、カスタマイズの内容変更を行うことができる。
カスタマイズされた記録制御情報の登録の要否を判断し（ステップＳ１３）、カスタマイズされた記録制御情報を登録する場合には、例えば、メディアＩＤや記録媒体の名称を変更するなどして再登録することができる（ステップＳ１４、登録ステップ）。
登録と同時に、記録制御情報は記憶部４０３に記憶される（記憶ステップ）。
【００６５】
一方、ステップＳ２にて、記録媒体に対応した記録制御情報が記録装置１００に登録されていない場合には、サーバー２００を参照する（ステップＳ５）。サーバー２００の参照は、ユーザーの確認の下にＰＣ４００が自動的に行う（ネットワーク２０１を介したサーバー２００の該当するデータベースへのアクセスなど）。
サーバー２００を参照して、サーバー２００の登録リストに登録されているか否かを確認し（ステップＳ６）、登録されている場合には、ユーザーの確認の下に登録リストより該当する記録制御情報を選択しダウンロードする（ステップＳ８）。サーバー２００の登録リストは、サーバー２００に登録されている記録制御情報を紐付けるメディアＩＤや記録媒体の名称の一覧である。
【００６６】
図１０（ａ）に、例えば、メディアＩＤとして「ＫＬ‐ＳＣＫＲ」をキーとして検索を行った結果ヒットした記録制御情報のリストを例示する。メディアＩＤ「ＫＬ‐ＳＣＫＲ」に対応するメディアは、メディアのサイズによってＫＬ‐ＳＣＫＲ‐０１〜ＫＬ‐ＳＣＫＲ‐０４の４種類有り、それぞれのサイズに対応できるプリンター３００によって、記録制御情報が、「ＣＲＩＦ００９９１」と「ＣＲＩＦ００９９３」の２種類あることを示している。それぞれの記録制御情報に対応する行の対応プリンターの項「プリンターリスト」をクリックすることで、対応するプリンターのリストが、図１０（ｂ）に示すように表示される。例えば、「ＣＲＩＦ００９９１」は、Ａ４サイズまで対応できるプリンター３００のリストが表示され、「ＣＲＩＦ００９９３」は、Ａ３ノビのサイズまで対応できるプリンターのリストが表示されている。ここでは、例えば、プリンターＩＤ「ＰＲ‐３０１」は、Ａ４サイズまで対応できるプリンターであり、プリンターＩＤ「ＰＲ‐３０３」は、Ａ３ノビのサイズまで対応できるプリンターである。
【００６７】
なお、ここで、該当する記録制御情報の有無の検索は、メディアＩＤをキーとして行っているが、例えば、プリンターＩＤも合わせて検索を行う方法であっても良い。前述したように、記録制御情報には、「第２の記録装置識別情報」として、対応可能なプリンター３００のプリンターＩＤリストが含まれるため、このリストにキー情報としてのプリンターＩＤが含まれない場合には、記録ができない、あるいは記録の実績が無いとして判断することができる（ステップＳ７）。つまり、無駄なダウンロードを行わない選択ができる。
【００６８】
具体的には、例えば、図１０（ａ）の例の場合、例えば、メディアＩＤとして「ＫＬ‐ＳＣＫＲ」、プリンターＩＤとして「ＰＲ‐３０１」をキーとして検索した場合には、図１０（ｃ）に示すように、記録できるプリンターに対応した記録制御情報のみ（図１０（ｃ）の場合にはＣＲＩＦ００９９１のみ）が表示され無駄なダウンロード（例えば、記録制御情報ＣＲＩＦ００９９３のダウンロード）を行わない選択ができる。
【００６９】
次に、ダウンロードされた記録制御情報と標準記録制御情報に基づき（オフセット情報を演算して）プリンター３００を駆動制御するパラメーターを表示部４０１に表示する（ステップＳ９）。このとき、プリンター３００のプリンターＩＤが、ダウンロードされた記録制御情報の対応可能プリンターのプリンターＩＤリストに含まれるか否かが判定され、含まれない場合には、プリンター３００では記録ができないと判断し、ユーザーの確認の下に登録処理を終了する（ステップＳ１０）。
【００７０】
なお、パラメーターの変更により、記録可能とユーザーが判断する場合には、登録処理を終了せず、次のカスタマイズ処理（ステップＳ１１）に進めることができるように構成しても良い。但しその場合には、表示部４０１の表示を通常の処理と異なる表示にするなど、ユーザーに対し警告を促すことが好ましい。
【００７１】
プリンター３００のプリンターＩＤが、ダウンロードされた記録制御情報の対応可能プリンターのプリンターＩＤリストに含まれる場合、ステップＳ４と同様に、図９に示すように、それぞれのパラメーターは、変更可能なパラメーターと変更不可能なパラメーターと非該当のパラメーターとに表示方法を分けて表示される（表示ステップ）。変更可能なパラメーターについては、ユーザーが入力部４０２から所望の値に変更し、制御をカスタマイズすることができる（ステップＳ１１）。
【００７２】
必要に応じカスタマイズされた記録制御情報に従い、記録を行う（ステップＳ１２）。記録した結果によって必要に応じ、カスタマイズの内容変更を行うことができる。
次に、記録制御情報の登録の要否を判断し（ステップＳ１３）、記録制御情報を登録する場合には、必要に応じメディアＩＤや記録媒体の名称を変更するなどして登録する（ステップＳ１４、登録ステップ）。
登録と同時に、記録制御情報は記憶部４０３に記憶される（記憶ステップ）。
【００７３】
図９には、ダウンロードされた記録制御情報ＡがＰＣ４００（登録処理部）において表示部４０１に表示されるパラメーターを変更することによりカスタマイズされた内容を記録制御情報Ｂとして登録し、記憶部４０３に記憶する様子を示している。ここで、登録される記録制御情報Ｂは、カスタマイズされたパラメーターと標準記録制御情報とによって演算されるオフセット情報が含まれる。
【００７４】
＜本実施形態による効果＞
以上述べたように、本実施形態による記録装置、記録システム、記録媒体、プログラム、およびプログラム記憶媒体によれば、以下の効果を得ることができる。
記録装置１００は、記録媒体に画像を記録するプリンター３００と、記録媒体に対応してプリンター３００を制御するための記録制御情報を登録する登録処理部（ＰＣ４００）と、登録された記録制御情報を記憶する記憶部４０３とを備えている。また、記録制御情報は、記録媒体の種類毎に固有のメディアＩＤに紐付けされており、登録処理部は、記録制御情報を登録する。
つまり、個々の記録媒体（記録媒体の種類毎）に対応した記録制御情報を、プリンター３００の仕様に基づいて、記録装置１００に個別に登録することができる。従って、想定される様々な記録媒体に対応した記録制御情報を、予め、プリンター３００のファームウェアや、プリンター３００を制御するドライバーソフトウェアに組み込んでおく必要がない。
【００７５】
また、記録装置１００は、表示部４０１と入力部４０２とを備え、登録処理部は、記録制御情報を、プリンター３００の仕様に基づく情報と共に、入力部４０２から入力された情報に基づいて変更可能に表示部４０１に表示する。従って、ユーザーは、記録制御情報を参照しながら、ユーザーの好みに基づき記録制御情報をカスタマイズして登録することができる。
【００７６】
また、記録装置１００は、固有の記録装置識別情報として、記録装置１００が備えるプリンター３００のプリンターＩＤを付帯しており、記録制御情報は、記録可能な記録装置１００に対応したプリンターＩＤのリスト情報を含んでいる。また、記録装置１００は、対応可能なプリンターＩＤリストに、プリンター３００のプリンターＩＤが含まれる場合に、記録制御情報を登録する。つまり、記録装置１００（プリンター３００）が記録できない記録媒体に対する記録制御情報は登録されない。記録可能な記録媒体に対する記録制御情報のみが登録されるため（換言すると、記憶部４０３に無効な情報が登録されることがないため）、記憶部４０３がより有効に活用される。また、記録制御情報は、記録媒体の種類毎に固有のメディアＩＤに紐付けされているため、ユーザーは、記録装置１００が記録可能な記録媒体の種類を知ることができる。
【００７７】
また、記録制御情報は、所定の記録制御情報（標準記録制御情報）との差異を示すオフセット情報を含んでいる。そのため、予め、記録装置１００が標準記録制御情報を備える場合、個々の記録媒体に対応した記録制御情報にオフセット情報を含むことで記録媒体に対応した記録制御を行うことができる。つまり、個々の記録媒体に対応した記録制御情報として、記録装置１００の制御に関わる情報をすべて持つ必要がなく、差異情報としてのオフセット情報を持てば良いので情報量を少なくすることができる。また、例えば、複数の記録媒体に共通して記録装置１００を制御する仕様を変更したい場合などにおいては、予め記録装置１００が有する標準記録制御情報を変更するだけで良い。
【００７８】
また、記録システム１０００は、記録装置１００とサーバー２００とがネットワーク２０１を介して通信可能に接続されたシステムである。サーバー２００は、記録制御情報を送信可能に複数記憶している。記録装置１００は、所望の記録媒体のメディアＩＤをサーバー２００に送信し、サーバー２００から、メディアＩＤに紐付けされた所望の記録制御情報を受信する。登録処理部は、記録制御情報を登録する。つまり、個々の記録媒体（記録媒体の種類毎）に対応した記録制御情報を、サーバー２００から入手して記録装置１００に個別に登録することができる。従って、想定される様々な記録媒体に対応した記録制御情報を、予め、プリンター３００のファームウェアや、プリンター３００を制御するドライバーソフトウェアに組み込んでおく必要がない。例えば、記録装置１００がそのユーザーに提供された後に新たに追加された記録媒体であっても、その記録媒体に対応した記録制御情報を、ユーザーが必要に応じて入手し登録することができる。その結果、従来のように、記録媒体の種類が増える都度、ファームウェアやドライバーソフトウェアを改訂（アップグレード）する必要がなくなる。また、ユーザーは、必要な記録媒体に対する記録制御情報のみを必要なときに入手し登録すれば良い。
【００７９】
また、記録媒体は、記録媒体に対応してプリンター３００を制御するための記録制御情報が紐付けられる固有のメディアＩＤを付帯している。従って、メディアＩＤによって個々の記録媒体に対応した記録制御情報を特定することができる。記録装置１００とネットワーク２０１を介して通信可能に接続されたサーバー２００に様々な記録媒体に対応した記録制御情報が蓄えられている場合に、メディアＩＤをキーにして紐付けられた記録制御情報を得ることができるため、記録媒体は、比較的情報量が大きな記録制御情報を付帯する必要がない。また、予め、記録媒体に記録制御情報が付帯される場合には、記録制御情報がアップデートされないのに対して、サーバー２００に蓄えられる記録制御情報が紐付けされるため、サーバー２００に蓄えられる記録制御情報を最新の情報とすることで、ユーザーは、最新の記録制御情報を活用することができる。
【００８０】
また、記録制御プログラムは、記録媒体に画像を記録するプリンター３００と、表示部４０１と、入力部４０２と、記憶部４０３と、を備える記録装置１００を制御する制御部で動作するプログラムである。記録制御プログラムは、記録媒体に対応してプリンター３００を制御するための記録制御情報を登録する登録ステップと、登録された記録制御情報を記憶部４０３に記憶する記憶ステップとを含んでいる。また、記録制御情報は、記録媒体の種類毎に固有のメディアＩＤに紐付けされており、登録ステップは、記録制御情報を登録する。
つまり、個々の記録媒体（記録媒体の種類毎）に対応した記録制御情報を、記録装置１００に個別に登録することができる。従って、想定される様々な記録媒体に対応した記録制御情報を、予め、プリンター３００のファームウェアや、プリンター３００を制御するドライバーソフトウェアに組み込んでおく必要がない。
【００８１】
また、記録制御プログラムは、記録制御情報を、プリンター３００の仕様に基づく情報と共に、入力部４０２から入力された情報に基づいて変更可能に表示部４０１に表示する表示ステップを含む。従って、ユーザーは、記録制御情報を参照しながら、ユーザーの好みに基づき記録制御情報をカスタマイズして登録することができる。
【００８２】
また、プログラム記憶媒体は、上述した記録制御プログラムを記憶し、コンピューターが読取可能であるため、ＰＣ４００は、記録制御プログラムを読み取ることで、簡便に記録装置１００の制御機能を発揮させることができる。
【符号の説明】
【００８３】
１…ロール紙、１００…記録装置、２００…サーバー、２０１…ネットワーク、３００，３０１…プリンター、３１０…本体、３１１…インク吐出部、３１２…供給部、３１３…巻取り部、３２０…コロナ処理部、３２１…コロナ放電電極、３３０…ＵＶ照射部、３３１…ＵＶ照射機、３４０…搬送ローラー、４００…パーソナルコンピューター（ＰＣ）、４０１…表示部、４０２…入力部、４０３…記憶部、１０００…記録システム。
【図１】
2015191452.tif 000003
【図２】
2015191452.tif 000004
【図３】
2015191452.tif 000005
【図４】
2015191452.tif 000006
【図５】
2015191452.tif 000007
【図６】
2015191452.tif 000008
【図７】
2015191452.tif 000009
【図８】
2015191452.tif 000010
【図９】
2015191452.tif 000011
【図１０】
2015191452.tif 000012